(57)【要約】【課題】土木建築資材の梱包形態に関し、ゼロエミッション化を推進することである。【解決手段】梱包袋１に製品を入れて残った袋を折り畳み、固定材２を十文字にかけて固定した梱包形態を示す斜視図である。表示札３に製品名入数を記入したラベル４が貼られ表示札は四隅を取付け治具５で取付けられている。【選択図】        図１
2004175405.tif 000002
【特許請求の範囲】
【請求項１】
定形の土木建築資材を袋状物を梱包材として用い、前記梱包材に入れたり、前記梱包材で包んで、出荷、運送して土木建築現場に搬入する事により、梱包ケースの廃棄物を土木建築現場に持ち込まず、発生廃棄物量を削減すると共に、前記梱包材が土木建築現場で発生する廃棄物の、分別ゴミ袋として再度有効利用できることを特徴とした土木建築資材の梱包形態。
【請求項２】
複数の定形の土木建築資材相互が、衝突、擦過により破損、損傷等の不具合の発生を防止する為に、紐、テープ、バンドの固定材で梱包材の外層から資材を１つ又は複数のグループに分割固定して、資材の自由な動きを拘束又は抑制したことを特徴とした請求項１の土木建築資材の梱包形態。
【請求項３】
定形の土木建築資材が、左右から梱包材を被せられ、あるいは左右からの梱包材の不足分に前記梱包材を巻き付けて、紐、テープ、バンドの固定材で前記梱包材の外周から固定されていることを特徴とした請求項１又は２の土木建築資材の梱包形態。
【請求項４】
前記梱包材に表示札を取付けたことを特徴とした請求項１、２又は３の土木建築資材の梱包形態。
【請求項５】
前記固定材や前記表示札や前記表示札の取付け治具が、梱包材と同一分別ゴミとして取扱えることを特徴とした請求項２、３又は４の土木建築資材の梱包形態。
【発明の詳細な説明】
【０００１】
【発明の属する技術分野】
本発明は定形の土木建築資材の梱包形態に関し、ゼロエミッション化に向けて特に近年各分野で厳しく管理され、土木建築分野に於いては施工現場も例外ではなくなって来た。ゼロエミッション化はコスト削減とも大きく関連しており、資材供給業者にとっても成功すれば、梱包材のコストダウンが出来、土木建築現場に於いても廃棄物量の減量化は廃棄物処理手間も削減でき、廃棄物処理費用の削減にもなり両者にとって大きなメリットがある。本発明は前記テーマの改善に資する梱包材の削減と同時に、梱包材を土木建築現場で再利用できる梱包形態に関する技術である。
【０００２】
【従来の技術】
従来より梱包形態でのゼロエミッションを達成する手段として、古くよりカゴやケースを供給業者とユーザの工場又は店舗に納入して、梱包容器としてのカゴやケースを往復させて複数回利用してトータルでの梱包材費用を削減する手段が講じられている。これは供給量が多量で同一送り先との間で頻繁に送付する場合には成り立つ手段である。ところが土木建築現場に於いては、工事が時々刻々進捗しており、それに伴って必要資材も次々に変化し、同一材料を何回も同一現場に搬入することは稀であり、かつ、工場現場の管理監督者は本来業務で多忙を窮め搬入資材の容器の返送迄は手が回らず、容器は現場でのゴミそのものとなりゼロエミッションとして工事現場では受け入れてもらえない。又、運送業者に回収を依頼しても二重に運賃を要し、コスト高となりメリットは生じない。従って、資材供給業者もゼロエミッション化への取り組みを行って少しでも経費削減をしたいし、ユーザにもメリットを与えたいという意識はあるものの良い方法が見出されず、従来通りダンボールケースで供給しているのが現状である。又、中にはパレット上に土木建築資材を載せてフィルムをグルグル巻いて荷崩れを防止して搬入している所もあるが、工事現場ではフィルムやパレットが廃棄物として新たに発生し、ゼロエミッションとはかけ離れた対応となっている。
【０００３】
一方、本発明者等が土木建築現場に調査にいった所、多くの現場で分別ゴミ袋により分別ゴミ処理をすることが主流となり、その分別ゴミ袋は各建築現場で購入しており、ダンボールケースはテープの除去、金具の除去を行いそれらは分別してゴミ処理する為、ゴミの仕分け作業が大変手間を要している。又、ダンボールケースは嵩高故に処理費が多くなっている等の情報を得、分別ゴミ袋を梱包する案をもとに運送テストを行った所、土木建築資材は定型物が多く、袋に単に入れただけでは荷崩れが起こり運送業者から取扱えない等の苦情があり再検討を余儀なくされた。つまり袋を梱包材として使用するのは液状物、ゾル・ゲル状物、粉、粒体のような不定型物には都合が良いが、定形物は非常に不安定で袋内を自由に動き回り、衝撃、擦過により破損や損傷も受けやすいことが判った。又、資材により摩擦抵抗の大きな物で資材間の接触面積の大きい物は動きにくいので荷崩れも生じなかった。そこで本発明者等は袋の外周から固定材で資材を単品又は複数のグループに分割固定することで資材を拘束し動きを抑制することで荷崩れしないという知見を得、本発明に至った。
【０００４】
【発明が解決しようとする課題】
土木建築現場に於いては土嚢袋等に分別するゴミの種類を抑制し、分別ゴミ袋として購入し、ダンボールケース等の建設廃材を処理しており、特にダンボールケースは嵩高となることやデープや金具を外して別々に分別処理が必要なことから分別手間も無視できないことから特に梱包材の削減が求められている。つまりゴミは、▲１▼分別処理の手間、▲２▼ゴミの処理費用、▲３▼分別処理の仕分け袋の購入というコストが土木建築現場では必要となっている。
【０００５】
本発明は前記の問題点の解消を課題としている。つまり、▲１▼従来のダンボールケースを用いないゴミ処理用として建設現場で購入しているゴミ袋を梱包材とすることによりユーザの購入コストの削減をすること。▲２▼従来のダンボールケース代金とゴミ袋代金の差で供給者メリットをだす。▲３▼ダンボールケースを用いないことでユーザのゴミ仕分け手間に要するコストとダンボールケースのゴミ量を削減することによるゴミ処理費用の削減を行うことによりユーザへのメリットの提供を行う。以上３点を課題とした。
【０００６】
【課題を解決するための手段】
請求項１は、定形の土木建築資材を袋状物を梱包材として用い、前記梱包材に入れたり、前記梱包材で包んで、出荷、運送して土木建築現場に搬入する事により、梱包ケースの廃棄物を土木建築現場に持ち込まず、発生廃棄物量を削減すると共に、前記梱包材が土木建築現場で発生する廃棄物の、分別ゴミ袋として再度有効利用できることを特徴とした土木建築資材の梱包形態である。
請求項２は、複数の定形の土木建築資材相互が、衝突、擦過により破損、損傷等の不具合の発生を防止する為に、紐、テープ、バンドの固定材で梱包材の外層から資材を１つ又は複数のグループに分割固定して、資材の自由な動きを拘束又は抑制したことを特徴とした請求項１の土木建築資材の梱包形態である。
請求項３は、定形の土木建築資材が、左右から梱包材を被せられ、あるいは左右からの梱包材の不足分に前記梱包材を巻き付けて、紐、テープ、バンドの固定材で前記梱包材の外周から固定されていることを特徴とした請求項１又は２の土木建築資材の梱包形態である。
請求項４は、前記梱包材に表示札を取付けたことを特徴とした請求項１、２又は３の土木建築資材の梱包形態である。
請求項５は、前記固定材や前記表示札や前記表示札の取付け治具が、梱包材と同一分別ゴミとして取扱えることを特徴とした請求項２、３又は４の土木建築資材の梱包形態である。
【０００７】
本発明者等は前記課題に至る迄に、様々な方法を予め検討し、土木建築工事現場に調査に行ったことろ、多くの現場で分別ゴミ袋での分別処理が主流となっており、各建設現場でゴミ袋を購入していること、及びダンボールケースのテープ除去、金具除去でゴミの仕分け作業が大変であること、ダンボールケースは嵩高故に処理費が多くなること等の情報をキャッチし、本発明の課題を解決することで、環境にもよく、ユーザーメリットもあり、供給者メリットも生じることが判り、前記課題を解決する手段は従来梱包を中止し、ゴミ袋を梱包材とし、必要に応じて固定材、表示板を設ける事で運送上の問題も解消し、製品保護上の問題も解消することを確認し、本願発明を完成した。
【０００８】
【発明の実施の形態】
以下本発明の実施の形態を順次説明する。
本発明は土木建築材の梱包形態に係り、梱包材が袋状であって、梱包形態が袋に入れられた状態か、袋で包んだ状態か、その併用つまり長尺物の場合、左右から袋を被せ、中央部の袋が不足した場合には、その不足分を袋を巻き付けた状態となるものである。梱包の本来の目的は製品を塵埃等の付着を防止し、傷付きを防止して製品を保護することである。従って従来多用されてきたダンボールケースから、袋に代えても特に問題はない。ところが製品によっては袋の中で自由に製品が動き製品相互が衝突、擦過が特に運送中で発生するため、傷付き、破損等が発生する危険性がある物は梱包袋の外周を紐、テープ、バンド等の固定材で縛って製品を単品に又は数個のグループにして自由な動きを抑制して前記不具合の発生を防止したり、出荷時に同一場所へ送付する袋同志を前記固定材で適当数を固定し運送の効率を上げ、かつ、荷崩れを防止することができる。
【０００９】
梱包袋はポリプロピレン等の割布で作った袋や麻袋やポリエチレン等のフィルムで作られた袋であれば良く、袋の材質としてはダイオキシンの発生しないノンハロゲンであれば特に制約はない。袋には分別ゴミの対象品名を例えば「木クズ」「プラスチック」「金属」等の如く印刷等で表示、色分けしてあれば、現場で分別ゴミ袋として再利用に便利である。このとき梱包袋には表示札を取付けて、製品、入数を記載したり、送り状の貼り付け部を設けておくと、表示位置がすぐ判り、運送業者、荷受け人も便利である。
【００１０】
ここで、前記固定材、表示札、表示札の取付け治具は梱包材と同一分別ゴミとして処理できる材質とした方が、細かな分別処理をする上で便利である。
又、長尺物で運搬時に折れ曲がり易く運搬しにくい製品の場合には、２枚のフィルムを組み合わせて空気を含ませてあるような物のようにゴミ発生量の少ない物を変形防止材として入れても良い。又、表示札は厚手の紙、布、プラスチックのシート等が良く、表示札の取付け治具はホッチキス、タグファスナー等が取付けやすく運送中に外れにくいので好ましい。
【００１１】
図１は梱包袋１に製品を入れて残った袋を折り畳み、固定材２を十文字にかけて固定した梱包形態を示す斜視図である。表示札３に製品名入数を記入したラベル４が貼られ表示札は四隅を取付け治具５で取付けられている。
【００１２】
図２は梱包袋１を３枚使い、左右から各々梱包袋を製品６に被せ、図示はしていないが袋の残りを折り畳み、中央の左右から入れた梱包袋１の不足した部分に梱包袋を巻き付け、固定材２で２ケ所を縛った梱包形態の断面図である。
【００１３】
図３は梱包袋１を２枚使い、左右から各々梱包袋１を製品６に被せ、両端と梱包袋１の合わさった部分の３ヶ所を固定材２で縛った梱包形態の断面図である。
【００１４】
図４は梱包袋１に製品を入れ、梱包袋１の口を固定材２で縛った梱包形態を示す斜視図である。表示札に製品名、入数のラベル貼り、送り状の貼れる予地を残している。
【００１５】
図５は梱包袋１を２枚使い一部を重ねて敷き、その上に製品６を置いて梱包袋１の端部を折り込んで梱包袋１で製品を包み込み両端と中央にＰＰバンドをかけた断面図である。
【００１６】
【実施例】
実施例１
ポリプロピレンの割布で作られた梱包袋６００ｍｍ幅×９００ｍｍ長さに配管防音材の７５φ９０°エルボ（硬質塩ビ継手に配管防音材を巻き付けたもの）を４ケ入れ、袋の残りを折り畳んで、ＰＰバンドで十文字に固定し、厚手の紙を表示板として四隅にホッチキス固定したものである。この形態の袋を１０ケ作り、運送試験をした。
運送試験は福山→大阪→名古屋→東京→福岡→福山の順に他の実施例の梱包形態の製品と共に運送し、梱包状況の異常、表示板の異常、固定材の異常をチェックし、製品の傷付き等の異常の有無をチェックした。その結果を表１に記載した。
【００１７】
実施例２
ポリプロピレンの割布で作られた梱包袋４８０ｍｍ幅×６００ｍｍ長さに配管防音材の筒状直管部材７５φ用×１．５ｍ長さ４本を各々偏平にして左右から被せ、袋の残りを折り畳み、中央部の袋の不足した部分に前記袋を巻き付けて、ＰＰバンドを２ヶ所にかけて、表示板（厚手の紙）に製品名、入数を記載したラベルを貼り、送り状を貼って四隅にホッチキスで固定した。この形態の袋を１０ヶ所作り運送試験をした。運送試験は実施例１と共に行った。
【００１８】
実施例３
ポリプロピレンの割布で作られた梱包袋４８０ｍｍ幅×６００ｍｍ厚さに配管防音材の筒状直管部材７５φ用×１ｍ長さを偏平にして４本を左右から袋を被せ、中央の袋のラップ部と両端にＰＰバンドをかけ、厚手の紙からなる表示板を四隅にホッチキス止めを行い、製品名、入数を記載したラベルと送り状を貼った。この形態の袋を１０ヶ所用意し実施例１と同様に運送試験を行い、その結果を表１に記載した。
【００１９】
実施例４
ポリプロピレンの割布で作った袋６００ｍｍ幅×９００ｍｍ長さに１００φの硬質塩ビ管に配管防音材を巻き付けた９０°大曲りエルボ４個を入れ、袋の口をＰＰ紐で縛りＰＰシート製表示板とし四隅をタグファスナー止めした。表示板に製品名入数を記入したラベルを貼り、送り状を貼って、この形態の袋を１０ケ用意し実施例１と同様に運送試験を行いその結果を表１に記載した。
【００２０】
実施例５
ポリプロピレンの割布で作った袋４８０ｍｍ幅×６００ｍｍ長さの袋２枚を長さ方向に１００ｍｍラップさせて敷きその上に７５φ用の筒型直管部用配管防音材を偏平にして４枚重ね前記袋で包み、中央の袋のラップ部と両端の袋の折り畳み部にＰＰバンドをかけてＰＰシート製表示板に製品名、入数を記載したラベルと送り状を貼りタグファスナーを四隅に取付けた。この形態の袋を１０ケ用意し実施例１と同様に運送試験を行いその結果を表１に記載した。
【００２１】
【表１】
2004175405.tif 000003
【００２２】
【発明の効果】
実施例１〜５の結果、本発明によると梱包材をダンボールケースから梱包袋に変更しても、梱包異常、表示板異常、固定材異常、製品異常の何れも見られなかった。又、ダンボールケースを省略することができので建設現場には廃棄物の搬入をすることなく、現場でのゴミ処理手間、費用は発生することなく、又、分別ゴミ袋として梱包袋を再利用できるので現場での分別ゴミ袋の購入は不要となる。供給者側からもダンボールケースより分別ゴミ袋の方が安価なのでコストメリットも生じる。従って本発明を実行することによって発生量は大幅に少なくなり環境面からも貢献できる。
【図面の簡単な説明】
【図１】本発明の梱包形態の１つの斜視図である。
【図２】本発明の梱包形態の１つの断面図である。
【図３】本発明の梱包形態の１つの断面図である。
【図４】本発明の梱包形態の１つの斜視図である。
【図５】本発明の梱包形態の１つの断面図である。
【符号の説明】
１  梱包袋
２  固定材
３  表示板
４  ラベル
５  取付治具
６  製品
【図１】
2004175405.tif 000004
【図２】
2004175405.tif 000005
【図３】
2004175405.tif 000006
【図４】
2004175405.tif 000007
【図５】
2004175405.tif 000008